(57)【要約】【課題】乾燥性能を維持しつつ、周辺の結露を抑制することができる食器洗い機を提供する。【解決手段】食器洗い機は、外郭をなし、排気口を有した筐体と、前記筐体の内部に設けられ、前記排気口と空間的につながる洗浄槽と、前記洗浄槽の内部に洗浄水を噴射する洗浄ノズルと、珪藻土で形成され、前記洗浄槽から前記排気口までの間に設けられた吸湿体と、を備えた。当該構成によれば、食器洗い機の乾燥性能を維持しつつ、食器洗い機の周辺の結露を抑制することができる。【選択図】図２
2019126515.tif 000002
【特許請求の範囲】
【請求項１】
外郭をなし、排気口を有した筐体と、
前記筐体の内部に設けられ、前記排気口と空間的につながる洗浄槽と、
前記洗浄槽の内部に洗浄水を噴射する洗浄ノズルと、
珪藻土で形成され、前記洗浄槽から前記排気口までの間に設けられた吸湿体と、
備えた食器洗い機。
【請求項２】
前記洗浄槽から前記排気口とまでの排気経路を形成する排気経路形成体、
を備え、
前記吸湿体は、前記排気経路形成体の内部に設けられた請求項１に記載の食器洗い機。
【請求項３】
前記排気経路の内壁面に設けられた保持体、
を備え、
前記吸湿体は、前記排気経路形成体の内壁面に沿って前記保持体に保持された請求項２に記載の食器洗い機。
【請求項４】
前記吸湿体は、前記排気経路の排気が通過するようにフィルタ状に形成された請求項２に記載の食器洗い機。
【請求項５】
前記吸湿体は、前記排気経路形成体の少なくとも一部を形成した請求項２に記載の食器洗い機。
【請求項６】
前記吸湿体は、前記洗浄槽の開口部に対して開閉自在に設けられた蓋、
を備え、
前記吸湿体は、前記蓋の少なくとも一部を形成する請求項１に記載の食器洗い機。
【請求項７】
前記排気経路形成体の内部に設けられ、前記排気経路の排気に対して結露を誘発する結露誘発体、
を備え、
前記吸湿体は、前記結露誘発体の下方に設けられた請求項２に記載の食器洗い機。
【発明の詳細な説明】
【技術分野】
【０００１】
この発明は、食器洗い機に関する。
【背景技術】
【０００２】
特許文献１は、食器洗い機を開示する。当該食器洗い機によれば、周辺における結露の発生を抑制し得る。
【先行技術文献】
【特許文献】
【０００３】
【特許文献１】特開２０００−１６６８４７号公報
【発明の概要】
【発明が解決しようとする課題】
【０００４】
しかしながら、特許文献１に記載の食器洗い機は、排気の風力を駆動源として、食器洗い機の外部の空気を排気に混合する排気補助手段を必要とする。このため、当該食器洗い機は、乾燥性能を向上させるために重要な要素である風量を損失させる。
【０００５】
この発明は、上述の課題を解決するためになされた。この発明の目的は、乾燥性能を維持しつつ、周辺の結露を抑制することができる食器洗い機を提供することである。
【課題を解決するための手段】
【０００６】
この発明に係る食器洗い機は、外郭をなし、排気口を有した筐体と、前記筐体の内部に設けられ、前記排気口と空間的につながる洗浄槽と、前記洗浄槽の内部に洗浄水を噴射する洗浄ノズルと、珪藻土で形成され、前記洗浄槽から前記排気口までの間に設けられた吸湿体と、を備えた。
【発明の効果】
【０００７】
この発明によれば、吸湿体は、珪藻土で形成される。吸湿体は、洗浄槽から排気口までの間に設けられる。このため、食器洗い機の乾燥性能を維持しつつ、食器洗い機の周辺における結露の発生を抑制することができる。
【図面の簡単な説明】
【０００８】
【図１】実施の形態１における食器洗い機の縦断面図である。
【図２】実施の形態１における食器洗い機の要部の縦断面図である。
【図３】実施の形態２における食器洗い機の要部の縦断面図である。
【図４】実施の形態３における食器洗い機の要部の縦断面図である。
【図５】実施の形態４における食器洗い機の要部の縦断面図である。
【図６】実施の形態５における食器洗い機の縦断面図である。
【図７】実施の形態５における食器洗い機の要部の縦断面図である。
【図８】実施の形態６における食器洗い機の要部の縦断面図である。
【発明を実施するための形態】
【０００９】
この発明を実施するための形態について添付の図面に従って説明する。なお、各図中、同一または相当する部分には同一の符号が付される。当該部分の重複説明は適宜に簡略化ないし省略される。
【００１０】
実施の形態１．
図１は実施の形態１における食器洗い機の縦断面図である。
【００１１】
図１において、筐体１は、食器洗い機の外郭をなす。筐体１は、ドア２を備える。ドア２は、筐体１の前部に設けられる。ドア２は、排気口３を備える。排気口３は、ドア２の上部に形成される。
【００１２】
洗浄槽４は、筐体１の内部に設けられる。洗浄槽４は、開口部５を備える。開口部５は、洗浄槽４の上部に形成される。
【００１３】
蓋６は、筐体１の内部に設けられる。蓋６は、洗浄槽４の開口部５に対して開閉自在に設けられる。
【００１４】
排気経路形成体７は、洗浄槽４と排気口３との間に設けられる。排気経路形成体７は、洗浄槽４と排気口３とを空間的につなげる。例えば、排気経路形成体７は、洗浄槽４から排気口３までの排気経路を形成する。排気経路の途中には、シャッタ７１が設けられる。シャッタ７１の一端は、回動自在に軸支される。シャッタ７１の他端は、自由端である。シャッタ７１は、その自重により、排気経路の洗浄槽４に連通する側と排気口３に連通する側とをシールし得るように設けられる。後述するように、給水工程、洗浄工程、排水工程、すすぎ工程等において、シャッタ７１は、その自重により、排気経路の洗浄槽４に連通する側と排気口３に連通する側とをシールする。乾燥工程において、洗浄槽４の内部の圧力が排気口３の外部の圧力よりも大きくなると、シャッタ７１の自重に抗してシャッタ７１が開く。その結果、洗浄槽４と排気口３とが連通する。
【００１５】
食器かご８は、洗浄槽４の内部に設けられる。食器かご８は、蓋６の下方に設けられる。
【００１６】
洗浄ノズル９は、洗浄槽４の内部に設けられる。洗浄ノズル９は、食器かご８の下方に設けられる。
【００１７】
湯沸しヒータ１０は、洗浄槽４の底部の手前側に設けられる。湯沸しヒータ１０は、洗浄ノズル９の下方に設けられる。
【００１８】
洗浄ポンプ１１は、筐体１の内部に設けられる。洗浄ポンプ１１は、洗浄槽４の下方に設けられる。
【００１９】
排水ポンプ１２は、筐体１の内部に設けられる。排水ポンプ１２は、洗浄槽４の下方に設けられる。
【００２０】
送風機１３は、筐体１の内部に設けられる。送風機１３は、洗浄槽４の奥側に隣接する。
【００２１】
乾燥用ヒータ１４は、筐体１の内部に設けられる。乾燥用ヒータ１４は、洗浄槽４の奥側において送風機１３に隣接する。
【００２２】
制御装置１５は、筐体１の内部に設けられる。制御装置１５は、洗浄槽４の手前側に隣接する。
【００２３】
食器、調理道具等の被洗浄物１６が食器かご８に収納された状態で食器洗い機の運転が開始されると、制御装置１５は、給水工程を実行する。給水工程において、制御装置１５は、所定量の洗浄水が洗浄槽４に供給されるように動作する。
【００２４】
その後、制御装置１５は、本洗工程を実行する。本洗工程において、制御装置１５は、湯沸しヒータ１０と洗浄ポンプ１１とを動作させる。その結果、洗浄水は、第１所定温度まで加熱される。加熱された洗浄水は、加圧される。加圧された洗浄水は、洗剤とともに洗浄ノズル９の噴射口から鉛直方向または斜め上方向に噴射される。この際、洗浄ノズル９は、洗浄水の噴射の反力により鉛直方向を軸にして回転する。その結果、被洗浄物１６は、洗浄水の衝突力、洗剤、熱等の作用により洗浄される。
【００２５】
その後、制御装置１５は、排水工程を実行する。排水工程において、制御装置１５は、排水ポンプ１２を動作させる。その結果、洗浄水は、被洗浄物１６から洗い落とされた汚れとともに食器洗い機の外部に排出される。
【００２６】
その後、制御装置１５は、給水工程を実行する。給水工程において、制御装置１５は、所定量の洗浄水が洗浄槽４に供給されるように動作する。その結果、洗浄水が新たに洗浄槽４に供給される。
【００２７】
その後、制御装置１５は、すすぎ工程を実行する。すすぎ工程において、制御装置１５は、洗浄ポンプ１１を動作させる。その結果、洗浄水は、洗浄ノズル９の噴射口から鉛直方向または斜め上方向に噴射される。この際、洗浄ノズル９は、洗浄水の噴射の反力により鉛直方向を軸にして回転する。その結果、食器に付着した汚れと洗剤とがすすがれる。
【００２８】
その後、制御装置１５は、排水工程を実行する。排水工程において、制御装置１５は、排水ポンプ１２を動作させる。その結果、洗浄水は、被洗浄物１６から洗い落とされた汚れとともに食器洗い機の外部に排出される。
【００２９】
その後、制御装置１５は、給水工程と洗浄工程と排水工程とを繰り返す。
【００３０】
最終のすすぎ工程において、制御装置１５は、湯沸しヒータ１０を動作させる。その結果、洗浄水は、第２所定温度まで加熱される。第２所定温度は、適宜設定される。例えば、第２所定温度は、第１所定温度よりも高い温度に設定される。例えば、第２所定温度は、６０℃に設定される。例えば、第２所定温度は、７０℃に設定される。最後のすすぎ工程においても、シャッタ７１は、排気経路の洗浄槽４に連通する側と排気口３に連通する側とをシールすることで、洗浄槽４内の湯気が排気口３から外部に漏れることを抑制する。
【００３１】
その後、制御装置１５は、乾燥工程を実行する。乾燥工程において、制御装置１５は、送風機１３と乾燥用ヒータ１４とを動作させる。この際、温められた外気が洗浄槽４の内部に送り込まれる。その結果、食器に付着した洗浄水が蒸発する。この際、洗浄槽４の内部の圧力が排気口３の外部の圧力よりも大きくなり、シャッタ７１の自重に抗してシャッタ７１が開く。その結果、洗浄槽４と排気口３とが連通する。したがって、洗浄槽４の内部の高温で多湿の空気は、排気経路形成体７の排気経路を通過して排気口３から食器洗い機の外部に排出される。
【００３２】
次に、図２を用いて、食器洗い機の排気を説明する。
図２は実施の形態１における食器洗い機の要部の縦断面図である。
【００３３】
図２に示されるように、排気経路は、第１経路７ａと第２経路７ｂと第３経路７ｃと第４経路７ｄと第５経路７ｅと余剰経路７ｆとを備える。
【００３４】
第１経路７ａは、洗浄槽４から食器洗い機の前方に伸びる。第２経路７ｂは、第１経路７ａの前部から食器洗い機の上方に伸びる。第３経路７ｃは、第２経路７ｂの上部から食器洗い機の後方に伸びる。第４経路７ｄは、第３経路７ｃの後部から食器洗い機の上方に伸びる。第５経路７ｅは、第４経路７ｄの上部から排気口３まで伸びる。余剰経路７ｆは、第５経路７ｅの前部から食器洗い機の下方に伸びる。
【００３５】
第１吸湿体１７ａは、板状の珪藻土で形成される。第１吸湿体１７ａは、第２経路７ｂの手前側の内壁面に沿って設けられる。第２吸湿体１７ｂは、板状の珪藻土で形成される。第２吸湿体１７ｂは、第４経路７ｄの奥側の内壁面に沿って設けられる。第３吸湿体１７ｃは、板状の珪藻土で形成される。第３吸湿体１７ｃは、余剰経路７ｆの手前側の内壁面に沿って設けられる。
【００３６】
高温で多湿の空気は、洗浄槽４から排気口３に移動する際に第１吸湿体１７ａと第２吸湿体１７ｂとに接触する。この際、当該空気は、吸湿される。さらに、当該空気の一部は、余剰経路７ｆに回り込んだ際に第３吸湿体１７ｃに接触する。この際、当該空気の一部は、吸湿される。
【００３７】
以上で説明した実施の形態１によれば、第１吸湿体１７ａと第２吸湿体１７ｂと第３吸湿体１７ｃとは、洗浄槽４から排気口３までの間に設けられる。このため、食器洗い機の乾燥性能を維持しつつ、食器洗い機の周辺における結露の発生を抑制することができる。さらに、食器洗い機が設けられた部屋の内部の温度上昇を抑制することで当該部屋の快適性を維持することができる。
【００３８】
また、第１吸湿体１７ａと第２吸湿体１７ｂと第３吸湿体１７ｃとは、排気経路形成体７の内部に設けられる。このため、簡単な構成で食器洗い機の周辺における結露の発生を抑制することができる。
【００３９】
なお、珪藻土は、食器洗い機の乾燥工程が終了して吸湿作用を終了させた後に自己放湿を行う。このため、吸湿体として珪藻土を半永久的に再利用することができる。
【００４０】
実施の形態２．
図３は実施の形態２における食器洗い機の要部の縦断面図である。なお、実施の形態１と同一または相当部分には、同一符号が付される。当該部分の説明は省略される。
【００４１】
実施の形態２において、複数の保持体１８は、樹脂成型品等で形成される。複数の保持体１８は、排気経路形成体７の排気経路の内壁面に設けられる。
【００４２】
第１吸湿体１７ａは、第２経路７ｂの手前側の内壁面に設けられた一対の保持体１８に保持される。第２吸湿体１７ｂは、第４経路７ｄの奥側の内壁面に設けられた一対の保持体１８に保持される。第３吸湿体１７ｃは、余剰経路７ｆの手前側の内壁面に設けられた一対の保持体１８に保持される。
【００４３】
以上で説明した実施の形態２によれば、第１吸湿体１７ａと第２吸湿体１７ｂと第３吸湿体１７ｃとは、保持体１８に保持される。このため、第１吸湿体１７ａと第２吸湿体１７ｂと第３吸湿体１７ｃとが洗浄槽４の引き出し部等の可動部に配置される場合でも、第１吸湿体１７ａと第２吸湿体１７ｂと第３吸湿体１７ｃとが落下することを抑制できる。その結果、衝撃に弱い珪藻土が破損することを抑制できる。
【００４４】
なお、粘性のある材料を用いた吸着剤で第１吸湿体１７ａと第２吸湿体１７ｂと第３吸湿体１７ｃとを保持してもよい。この場合も、衝撃に弱い珪藻土が破損することを抑制できる。
【００４５】
実施の形態３．
図４は実施の形態３における食器洗い機の要部の縦断面図である。なお、実施の形態１と同一または相当部分には、同一符号が付される。当該部分の説明は省略される。
【００４６】
実施の形態３において、第４吸湿体１７ｄは、フィルタ状の珪藻土で形成される。第４吸湿体１７ｄは、排気経路形成体７の排気経路の入口付近において排気経路形成体７の排気経路の排気が全体的に通過するように形成される。第５吸湿体１７ｅは、フィルタ状の珪藻土で形成される。第５吸湿体１７ｅは、排気経路形成体７の排気経路の出口付近において排気経路形成体７の排気経路の排気が全体的に通過するように形成される。
【００４７】
以上で説明した実施の形態３によれば、第４吸湿体１７ｄと第５吸湿体１７ｅとは、フィルタ状に形成される。このため、排気経路形成体７の排気経路の風路が狭くなることを抑制できる。その結果、排気経路形成体７の排気経路の排気の圧損を減らすことができる。
【００４８】
実施の形態４．
図５は実施の形態４における食器洗い機の要部の縦断面図である。なお、実施の形態１と同一または相当部分には、同一符号が付される。当該部分の説明は省略される。
【００４９】
実施の形態４において、第１兼用吸湿体１７ｆは、珪藻土で形成される。第１兼用吸湿体１７ｆは、排気経路形成体７の少なくとも一部を形成する。第２兼用吸湿体１７ｇは、珪藻土で形成される。第２兼用吸湿体１７ｇは、排気口３の少なくとも一部を形成する。
【００５０】
以上で説明した実施の形態４によれば、第１兼用吸湿体１７ｆは、排気経路形成体７の少なくとも一部を形成する。このため、実施の形態３の第４吸湿体１７ｄと第５吸湿体１７ｅとが用いられた場合よりも、排気経路形成体７の排気経路の風路が狭くなることを抑制できる。その結果、排気経路形成体７の排気経路の排気の圧損をより減らすことができる。
【００５１】
また、第２兼用吸湿体１７ｇは、排気口３の少なくとも一部を形成する。このため、排気口３を伝って食器洗い機の意匠となるドア２への結露の発生を抑制することができる。
【００５２】
また、吸湿部品を別途用意する必要がない。例えば、樹脂材料に珪藻土を混合させて排気経路形成体７等を成型すればよい。このため、簡素かつ安価な構造で食器洗い機の周辺における結露の発生を抑制することができる。
【００５３】
実施の形態５．
図６は実施の形態５における食器洗い機の縦断面図である。なお、実施の形態１と同一または相当部分には、同一符号が付される。当該部分の説明は省略される。
【００５４】
実施の形態４において、第３兼用吸湿体１７ｈは、珪藻土で形成される。第３兼用吸湿体１７ｈは、蓋６の少なくとも一部を形成する。
【００５５】
次に、図７を用いて、蓋６の機能を説明する。
図７は実施の形態５における食器洗い機の要部の縦断面図である。
【００５６】
図７に示されるように、空間Ａは、筐体１の上面である板金と蓋６との間に形成される。蓋６の下面側Ｂは、洗浄槽４の内部の空気の吸湿を行う。蓋６の上面側Ｃは、空間Ａへの放湿を行う。
【００５７】
以上で説明した実施の形態５によれば、第３兼用吸湿体１７ｈは、蓋６の少なくとも一部を形成する。このため、洗浄槽４の内部の高温で多湿の空気と珪藻土との接触面積を広くすることができる。さらに、珪藻土と空間Ａとの接触面積を広くすることができる。その結果、吸湿および放湿の性能を上げることができる。
【００５８】
実施の形態６．
図８とは実施の形態６における食器洗い機の要部の縦断面図である。なお、実施の形態１と同一または相当部分には、同一符号が付される。当該部分の説明は省略される。
【００５９】
実施の形態６において、結露誘発体１９は、板状の金属等で形成される。結露誘発体１９は、第５経路７ｅと余剰経路７ｆとにわたって形成された壁面において食器洗い機の奥側に沿って設けられる。
【００６０】
第６吸湿体１７ｉは、珪藻土で形成される。第６吸湿体１７ｉは、余剰経路７ｆの底部に設けられる。第６吸湿体１７ｉは、結露誘発体１９の下方に設けられる。
【００６１】
高温で多湿の空気は、洗浄槽４から排気口３に移動する際に結露誘発体１９に接触する。この際、結露が誘発される。結露した水分は、結露誘発体１９を伝って滴下される。滴下された水分は、第６吸湿体１７ｉに直接的に吸着される。
【００６２】
以上で説明した実施の形態６によれば、第６吸湿体１７ｉは、結露誘発体１９の下方に設けられる。このため、排気経路形成体７の排気経路の排気中の水分を液状にして確実に吸湿することができる。
【００６３】
なお、洗浄工程またはすすぎ工程時において、洗浄水の温度は、約６０℃または約７０℃まで加熱される。その結果、洗浄工程またはすすぎ工程時においても、蒸気が発生する。この際の蒸気は、洗浄槽４から排気経路形成体７の排気経路に入り込む。この場合においても、実施の形態１から実施の形態６の吸湿体は、排気経路形成体７の排気経路の排気から吸湿する。このため、洗浄工程またはすすぎ工程時においても、蒸気が食器洗い乾燥機の外部に漏れることを抑制できる。
【符号の説明】
【００６４】
１  筐体、  ２  ドア、  ３  排気口、  ４  洗浄槽、  ５  開口部、  ６  蓋、  ７  排気経路形成体、  ７ａ  第１経路、  ７ｂ  第２経路、  ７ｃ  第３経路、  ７ｄ  第４経路、  ７ｅ  第５経路、  ７ｆ  余剰経路、  ７１  シャッタ、  ８  食器かご、  ９  洗浄ノズル、  １０  湯沸しヒータ、  １１  洗浄ポンプ、  １２  排水ポンプ、  １３  送風機、  １４  乾燥用ヒータ、  １５  制御装置、  １６  被洗浄物、  １７ａ  第１吸湿体、  １７ｂ  第２吸湿体、  １７ｃ  第３吸湿体、  １７ｄ  第４吸湿体、  １７ｅ  第５吸湿体、  １７ｆ  第１兼用吸湿体、  １７ｇ  第２兼用吸湿体、  １７ｈ  第３兼用吸湿体、  １７ｉ  第６吸湿体、  １８  保持体、  １９  結露誘発体
【図１】
2019126515.tif 000003
【図２】
2019126515.tif 000004
【図３】
2019126515.tif 000005
【図４】
2019126515.tif 000006
【図５】
2019126515.tif 000007
【図６】
2019126515.tif 000008
【図７】
2019126515.tif 000009
【図８】
2019126515.tif 000010